(57)【要約】【課題】  輸液バッグを取り出すと同時に未混合薬剤が混合するように構成された輸液バッグ収納容器を提供する。【解決手段】  薬剤が充填される輸液バッグ４を収納する輸液バッグ収納容器１において、前記輸液バッグ４のバッグ本体４１の一方の壁部４２を内側にして２つ折りにした状態で収納する収納容器本体２と、前記バッグ本体４１の一方の壁部４２に当接される棒状部材３４と、前記収納容器本体２の外側から前記棒状部材３４を挟持して前記バッグ本体４１内部を閉塞するクリップ部材３１とからなる仕切手段３とで構成された。【選択図】図１
2006034788.tif 000002
【特許請求の範囲】
【請求項１】
薬剤が充填される輸液バッグを収納する輸液バッグ収納容器において、
前記輸液バッグのバッグ本体の一方の壁部を内側にして２つ折りにした状態で収納する収納容器本体と、
前記バッグ本体の一方の壁部に当接される棒状部材と、前記収納容器本体の外側から前記棒状部材を挟持して前記バッグ本体内部を閉塞するクリップ部材とからなる仕切手段とで構成されていることを特徴とする、輸液バッグ収納容器。
【請求項２】
薬剤が充填される輸液バッグを収納する輸液バッグ収納容器において、
前記輸液バッグのバッグ本体の一方の壁部を内側にして２つ折りにした状態で収納する収納容器本体と、
前記バッグ本体の一方の壁部に当接される棒状部材と、前記収納容器本体の内側に一体的に形成され、前記バッグ本体の他方の壁部から前記棒状部材を挟持して前記バッグ本体内部を閉塞するクリップ部材とからなる仕切手段とで構成されていることを特徴とする、輸液バッグ収納容器。
【発明の詳細な説明】
【技術分野】
【０００１】
本発明は、輸液バッグを収納する輸液バッグ収納容器に関する。
【背景技術】
【０００２】
２種類以上の薬剤を配合する場合、薬剤的相互作用に起因する経時的変化によって薬剤が変質する危険性があるため、弱シール部で区画された複数の薬剤充填室を備える輸液バッグを用いて、各未混合薬剤が個別に充填されていることがある。このような輸液バッグでは、輸送時に弱シール部の剥離が起こらないようにするため、通常、輸液バッグを弱シール部で２つ折りにして外装用の袋に収納される。かかる輸液バッグを用いて未混合薬剤を混合する場合には、輸液バッグを外装用の袋から取り出し、いずれかの薬剤充填室の壁部の外表面を押圧して弱シール部を剥離させなければならない（例えば、特許文献１参照。）。
【特許文献１】特開２００１−２５２３３４号
【０００３】
しかしながら、前記のように外装用の袋に輸液バッグを収納するだけでは、輸液バッグを外装用の袋から取り出した場合に、弱シール部の剥離作業を怠ってしまうことがあり、口栓に設けられたゴム栓体に中空針を刺通して、口栓側の区画部に充填された未混合薬剤を患者に投与するような事態が起こり得るという問題点がある。
【発明の開示】
【発明が解決しようとする課題】
【０００４】
したがって、本発明は、かかる問題点を解消するため、輸液バッグを取り出すと同時に未混合薬剤が混合するように構成された輸液バッグ収納容器を提供し、仕切手段の未解除による未混合薬剤の誤投与という医療事故を未然に防止することを目的とする。
【課題を解決するための手段】
【０００５】
前記課題を解決するための手段として、本発明は、薬剤が充填される輸液バッグを収納する輸液バッグ収納容器において、前記輸液バッグのバッグ本体の一方の壁部を内側にして２つ折りに維持した状態で収納する収納容器本体と、前記バッグ本体の一方の壁部に当接される棒状部材と、前記収納容器本体の外側から前記棒状部材を挟持して前記バッグ本体内部を閉塞するクリップ部材とからなる仕切手段とで構成されたものである。
【０００６】
薬剤が充填される輸液バッグを収納する輸液バッグ収納容器において、前記輸液バッグのバッグ本体の一方の壁部を内側にして２つ折りに維持した状態で収納する収納容器本体と、前記バッグ本体の一方の壁部に当接される棒状部材と、前記収納容器本体の内側に一体的に形成され、前記バッグ本体の他方の壁部から前記棒状部材を挟持して前記バッグ本体内部を閉塞するクリップ部材とからなる仕切手段とで構成されていてもよい。
【発明の効果】
【０００７】
前記手段によれば、輸液バッグ収納容器に輸液バッグが収納されている場合、フックに吊り下げることができず、また、収納容器本体から輸液バッグを取り出すと同時に、仕切手段が自然に解除するため、口栓側の区画部に充填された未混合薬剤を患者に誤って投与するような事態が起こることはない。
【発明を実施するための最良の形態】
【０００８】
以下、添付の図面に従って、本発明の第１実施形態を説明する。
【０００９】
図１及び図２は、本発明の第１実施形態に係る輸液バッグ収納容器に輸液バッグを収納した状態を示したものである。この輸液バッグ収納容器１は、収納容器本体２と、仕切手段３とで構成される。
【００１０】
収納容器本体２は、封止部２１と、輸液バッグ収納部２２とで構成される。封止部２１は、１枚の矩形状のフィルムシートを２つ折りにした状態で、周辺部の内表面が略逆Ｕ字状に加熱溶着されて形成されている。輸液バッグ収納部２２は、略逆Ｕ字状の封止部２１の内側に形成され、後述の輸液バッグ４のバッグ本体４１の一方の壁部４２を内側にして２つ折りにした状態で収納する。封止部２１は、収納容器本体２の上部を切り裂く切り込み部２３を備える。切り込み部２３は、上方の封止部２１ａより下方に位置する側方の一方の封止部２１ｂに形成されている。
【００１１】
仕切手段３は、図３に示したように、クリップ部材３１と棒状部材３４とからなる。クリップ部材３１は、弾性を有する剛性材料で構成され、輸液バッグ４の一方の壁部４２に当接した後述の棒状部材３４を、収納容器本体２の底部外側から挟持して輸液バッグ４のバッグ本体４１の内部を閉塞し、バッグ本体４１の内部を第１と第２の薬剤充填室４４，４５に区画する。クリップ部材３１は、横断面の形状が略Ｃ字状に形成され、挟持部３２と、該挟持部３２の内側に形成された挟持空間３３とで構成されている。クリップ部材３１は、弾性力を有するものであれば、鉄等の金属で構成されていてもよいが、取り扱いの安全性を考慮すると、弾性プラスチック材で構成されるのが好ましい。
【００１２】
棒状部材３４は、横断面の形状が円形に形成された合成樹脂で構成される。棒状部材３４は、図１及び図２に示したように、後述の輸液バッグ４のバッグ本体４１の一方の壁部４２に当接した状態でクリップ部材３１の挟持部３２に挟持される。棒状部材３４は、輸液バッグ４の一方の壁部４２に接着剤等で、一体的に固定されてもよい。
【００１３】
輸液バッグ４は、図４に示したように、バッグ本体４１の周辺部に形成された周辺強シール部４６を備える。周辺強シール部４６は、バッグ本体４１を構成する２枚のフィルムシートの周辺部の内表面が、口栓５の薬剤排出管５１を挟持した状態で加熱溶着されて形成される。口栓５は、筒状で、薬剤排出管５１と、中空針が刺通されるまでゴム栓で密封された薬剤排出口５２とで構成されている。
【００１４】
本発明の第１実施形態に係る輸液バッグ収納容器１を用いて、輸液バッグ４を収納する場合、まず、輸液バッグ４のバッグ本体４１の中央の短手方向に沿って棒状部材３２を輸液バッグ４の一方の壁部４２に当接させる。次に、棒状部材３４の当接位置で、一方の壁部４２を内側にしてバッグ本体４１を２つ折りにする。次に、収納容器本体２を構成する１枚の矩形状のフィルムシートの中央部分がバッグ本体４１の折り畳み位置と一致するように、前記フィルムシートを輸液バッグ４の他方の壁部４３に当接させる。次に、棒状部材３４を当接させた位置で、輸液バッグ４のバッグ本体４１をクリップ部材３１の挟持空間３３に挿入して、クリップ部材３１の挟持部３２で挟持し、バッグ本体４１の内部が、第１と第２の薬剤充填室４４，４５に区画される。
【００１５】
仕切手段３を輸液バッグ４に取り付けてバッグ本体４１の内部を仕切った後、口栓５の薬剤排出口５２から第１の薬剤充填室４４に未混合薬剤を充填し、また、口栓５とは反対側の端部に形成された薬剤充填口４７から第２の薬剤充填室４５に別の未混合薬剤を充填する。次に、薬剤排出口５１をゴム栓体で密閉し、また、薬剤充填口４７も加熱溶着して密閉し、各未混合薬剤を封入する。次に、収納容器本体２を構成する１枚の矩形状のフィルムシートの周辺部を加熱溶着して、輸液バッグ４を収納容器本体２の輸液バッグ収納部２２に封入する。
【００１６】
次に、本発明の第１実施形態に係る輸液バッグ収納容器１を使用する場合の作用について説明する。
【００１７】
輸液バッグ収納容器１に輸液バッグ４が収納されている場合、図５（ａ）に示したように、棒状部材３４が当接するバッグ本体４１の内部を、クリップ部材３１で挟持して閉塞しているので、輸液バッグ４のバッグ本体４１の内部を２つに区画して完全に仕切ることができる。また、輸液バッグ収納容器１は、収納容器本体２によって、輸液バッグ４を２つ折りにした状態に維持することができ、輸液バッグ４をフックに吊り下げることはなく、薬剤の投与ができない状態にあることを外観状の形態から確認することができる。
【００１８】
輸液バッグ４を輸液バッグ収納容器１から取り出す場合、切り込み部２３を用いて収納容器本体２の上部を切り裂いて、輸液バッグ収納部２２を開封する。次に、使用者は、輸液バッグ収納部２２の内部に挿入した一方の手で輸液バッグ４のバッグ本体４１を把持し、他方の手で収納容器本体２の側方の封止部２１ｂ，２１ｃのいずれかを把持して、輸液バッグ４を引き出すと、クリップ部材３１の挟持が解除されて、図５（ｂ）に示したように、クリップ部材３１が落下し、輸液バッグ４を収納容器本体２から取り出すことができる。仕切手段３による仕切りが解除されているため、図５（ｃ）に示したように、輸液バッグ４のバッグ本体４１を展開すると、未混合薬剤を混合することができる。なお、収納容器本体２の側方の封止部２１ｂ，２１ｃの溶着部分を剥離して収納容器本体２を展開した後、一方の手で輸液バッグ４のバッグ本体４１を把持し、他方の手で展開した収納容器本体２のフィルムシートの両端部を把持して、それぞれ反対方向に引っ張ってクリップ部材３１の挟持を解除してもよい。
【００１９】
図６及び図７は、本発明の第２実施形態に係る輸液バッグ収納容器に輸液バッグを収納した状態を示したものである。この輸液バッグ収納容器１は、収納容器本体２と、仕切手段３とで構成される。
【００２０】
収納容器本体２は、第１実施形態と同様に、１枚のフィルムシートの周辺部を加熱溶着することで、封止部２１と、輸液バッグ収納部２２とで構成される。
【００２１】
仕切手段３は、第１実施形態と同様に、クリップ部材３１と棒状部材３４とからなる。クリップ部材３１は、挟持部３２の底部外側が収納容器本体２の内表面に加熱溶着されて、収納容器本体２と一体的に形成されている。クリップ部材３１は、第１実施形態と同様に、弾性力を有する剛性材料で構成され、輸液バッグ４の一方の壁部４２に当接した後述の棒状部材３４を他方の壁部４３から挟持して輸液バッグ４のバッグ本体４１の内部を閉塞し、バッグ本体４１の内部を第１と第２の薬剤充填室４４，４５に区画する。
【００２２】
棒状部材３４は、第１実施形態と同様に、横断面の形状が円形に形成された合成樹脂で構成される。棒状部材３４は、図６及び図７に示したように、輸液バッグ４の一方の壁部４２に当接した状態でクリップ部材３１の挟持部３２に挟持される。
【００２３】
本発明の第２実施形態に係る輸液バッグ収納容器１を用いて、輸液バッグ４を収納する場合、まず、クリップ部材３１の底部外側と、収納容器本体２を構成する１枚の矩形状のフィルムシートの中央付近の内表面とを加熱溶着して、クリップ部材３１を１枚のフィルムシートに一体的に形成する。次に、バッグ本体４１の中央の短手方向に沿って棒状部材３２を輸液バッグ４の一方の壁部４２に当接させる。次に、棒状部材３４の当接位置で、一方の壁部４２を内側にしてバッグ本体４１を２つ折りにする。次に、輸液バッグ４のバッグ本体４１を、１枚のフィルムシートで一体的に形成されたクリップ部材３１の挟持空間３３に挿入して、クリップ部材３１の挟持部３２で挟持し、バッグ本体４１の内部を第１と第２の薬剤充填室４４，４５に区画する。その後、第１実施形態の場合と同様の方法で、仕切手段３で区画された輸液バッグ４のバッグ本体４１の内部に各未混合薬剤を充填し、収納容器本体２を構成する１枚の矩形状のフィルムシートの周辺部を加熱溶着して、輸液バッグ４を収納容器本体２の輸液バッグ収納部２２に封入する。
【００２４】
第１実施形態と同様に、第２実施形態に係る輸液バッグ収納容器１においても、輸液バッグ４が収納されている場合、棒状部材３４が当接するバッグ本体４１の内部を、クリップ部材３１で挟持して閉塞しているので、輸液バッグ４のバッグ本体４１の内部を２つに区画して完全に仕切ることができる。また、輸液バッグ収納容器１は、収納容器本体２によって、輸液バッグ４を２つ折りにした状態に維持することができ、輸液バッグ４をフックに吊り下げることはなく、薬剤の投与ができない状態にあることを外観状の形態から確認することができる。
【００２５】
輸液バッグ４を輸液バッグ収納容器１から取り出す場合、切り込み部２３を用いて収納容器本体２の上部を切り裂いて、輸液バッグ収納部２２を開封する。次に、使用者は、輸液バッグ収納部２２の内部に挿入した一方の手で輸液バッグ４のバッグ本体４１を把持し、他方の手で収納容器本体２の側方の封止部２１ｂ，２１ｃのいずれかを把持して、輸液バッグ４を引き出すと、クリップ部材３１の挟持が解除されて、輸液バッグ４を収納容器本体２から取り出すことができる。これにより、輸液バッグ４のバッグ本体４１を展開して、仕切手段３による仕切りが解除されて未混合薬剤を混合することができる。
【図面の簡単な説明】
【００２６】
【図１】輸液バッグが収納された状態を示す本発明の第１実施形態に係る輸液バッグ収納容器の側面図である。
【図２】図１の輸液バッグ収納容器の斜視図である。
【図３】図１の輸液バッグ収納容器の収納容器本体に取り付けられる仕切手段の斜視図である。
【図４】図１の輸液バッグ収納容器に収納される輸液バッグの正面図である。
【図５】（ａ）は、図１の輸液バッグ収納容器の断面図であり、（ｂ）は、仕切手段が解除された状態の図１の輸液バッグ収納容器の断面図であり、（ｃ）は、図４の輸液バッグを展開した状態の断面図である。
【図６】輸液バッグが収納された状態を示す本発明の第２実施形態に係る輸液バッグ収納容器の側面図である。
【図７】図６の輸液バッグ収納容器の斜視図である。
【符号の説明】
【００２７】
１  輸液バッグ収納容器
２  収納容器本体
２１  封止部
２１ａ  上方の封止部
２１ｂ  一方の側方の封止部
２２  輸液バッグ収納部
３  仕切手段
３１  クリップ部材
３２  挟持部
３３  挟持空間
３４  棒状部材
４  輸液バッグ
４１  バッグ本体
４２  一方の壁部
４３  他方の壁部
４４  第１の薬剤充填室
４５  第２の薬剤充填室
４６  周辺強シール部
４７  薬剤充填口
５  口栓
５１  薬剤排出口
５２  薬剤排出管
【図１】
2006034788.tif 000003
【図２】
2006034788.tif 000004
【図３】
2006034788.tif 000005
【図４】
2006034788.tif 000006
【図５】
2006034788.tif 000007
【図６】
2006034788.tif 000008
【図７】
2006034788.tif 000009